(57)【特許請求の範囲】
【請求項１】
格納空間を内部に有するケーシングと、
振動方向に順に配列した第１の振動子及び第２の振動子を含み、前記格納空間内に収納される磁性振動子と、を備える線形振動モーターにおいて、
前記磁性振動子を、片持ちで前記ケーシング内に支持するための第１のバネがさらに設けられ、
前記第１の振動子と前記第２の振動子とは、第２のバネにより連結され、
前記第１の振動子及び前記第２の振動子の少なくとも一方に、永久磁石が設けられ、
前記ケーシングにおける、前記永久磁石と対応する箇所に、駆動コイルが設けられ、
前記駆動コイルは、ローレンツ力による反動力で前記磁性振動子を駆動するように構成されている
ことを特徴とする線形振動モーター。
【請求項２】
前記第１の振動子には第１の永久磁石が設けられており、
前記ケーシングにおける、前記第１の永久磁石と対応する箇所に、第１の駆動コイルが設けられ、
前記第２の振動子には第２の永久磁石が設けられ、
前記ケーシングにおける、前記第２の永久磁石と対応する箇所に、第２の駆動コイルが設けられている
ことを特徴とする請求項１に記載の線形振動モーター。
【請求項３】
前記第１の永久磁石における、前記第１の駆動コイルから離れる側に、透磁シートが貼り付けられ、
前記第２の永久磁石における、前記第２の駆動コイルから離れる側に、透磁シートが貼り付けられている
ことを特徴とする請求項２に記載の線形振動モーター。
【請求項４】
前記第１のバネは、
前記磁性振動子と連結する第１の端と、
前記ケーシングと連結する第２の端と、
前記第１の端と前記第２の端とを繋ぐ連結部と、
を含むＵ字型バネである
ことを特徴とする請求項１から３のいずれか１つに記載の線形振動モーター。
【請求項５】
前記第２のバネは、スパイラルバネである
ことを特徴とする請求項１から４のいずれか１つに記載の線形振動モーター。
【発明の詳細な説明】
【技術分野】
【０００１】
本発明は振動モーターに関し、特に携帯型の消費者向け電子製品に用いられる線形振動モーターに関する。
【背景技術】
【０００２】
電子技術の発展に伴い、例えば携帯電話、携帯型ゲーム機、ナビゲーション、携帯型マルチメディア娯楽用機器などの消費者向けの携帯型電子製品がますます人々から好まれるようになる。これらの電子製品には、例えば携帯電話の着信通知、情報通知、ナビ通知、ゲーム機の振動フィードバックなどのようなシステムフィードバックとして、振動モーターが通常に用いられている。
【発明の概要】
【発明が解決しようとする課題】
【０００３】
しかしながら、従来の線形振動モーターには１つの共振周波数しか用いられていない。タッチフィードバック技術の重要性が日々高まることにより、１つの共振周波数では、振動感に対する多種多様な需要を満たすことはほぼ不可能である。
【０００４】
そのため、上記の問題を解決する新たな振動モーターを提供する必要がある。
【課題を解決するための手段】
【０００５】
本発明は、複数の振動子及び複数の共振周波数を有し、且つ、複数の周波数のいずれにおいても有効な振動感を外部に出力することができる新規な線形振動モーターを提供することを目的とする。
【０００６】
上記の課題を解決するために、本発明に係わる線形振動モーターは、格納空間を内部に有するケーシングと、振動方向に順に配列した第１の振動子及び第２の振動子を含み、前記格納空間内に収納される磁性振動子とを備える線形振動モーターであって、磁性振動子を、片持ちでケーシング内に支持するための第１のバネがさらに設けられ、前記第１の振動子と前記第２の振動子とは、第２のバネにより連結され、前記第１の振動子及び前記第２の振動子の少なくとも一方に永久磁石が設けられ、前記ケーシングにおける、永久磁石と対応する箇所に駆動コイルが設けられ、前記駆動コイルは、ローレンツ力による反動力で前記磁性振動子を駆動することを、特徴とする線形振動モーター。
好ましくは、前記第１の振動子には第１の永久磁石が設けられており、ケーシングにおける、第１の永久磁石と対応する箇所に、第１の駆動コイルが設けられ、前記第２の振動子には第２の永久磁石が設けられ、ケーシングにおける、第２の永久磁石と対応する箇所に、第２の駆動コイルが設けられている。
【０００７】
好ましくは、前記第１の永久磁石における、前記第１の駆動コイルから離れる側に、透磁シートが貼り付けられ、前記第２の永久磁石における、前記第２の駆動コイルから離れる側に、透磁シートが貼り付けられている。
【０００８】
好ましくは、前記第１のバネは、磁性振動子と連結する第１の端と、ケーシングと連結する第２の端と、第１の端と第２の端とを繋ぐ連結部と、を含むＵ字型バネである。
【０００９】
好ましくは、前記第２のバネは、スパイラルバネである。
【発明の効果】
【００１０】
本発明は、複数の振動子及び複数の共振周波数を有し、且つ、複数の周波数のいずれにおいても有効な振動感を外部に出力することができ、製品の使用体験を向上させる新規な線形振動モーターを提供できるという利点を有する。
【図面の簡単な説明】
【００１１】
【図１】本発明に係る線形振動モーターを分解した斜視図である。
【図２】本発明に係る線形振動モーターの一部を組み合わせた模式斜視図である。
【図３】図２に示す構成の断面図である。
【図４】本発明の別の実施形態に係る線形振動モーターの組み合わせの模式斜視図である。
【図５】図４に示す構成の断面図である。
【発明を実施するための形態】
【００１２】
以下、図面を参照しながら、本発明について詳細に説明する。
【００１３】
図１及び図２に示すように、本発明が提供する線形振動モーターは、格納空間を内部に有する長方体状のケーシング１と、この格納空間内に収納され、このケーシング１の長軸方向に沿って振動する磁性振動子３と、この磁性振動子３を固定する支持バネ２とを含む。本実施形態では、ケーシング１は、パネル状の下ケーシング１２と、下ケーシング１２をカバーして、下ケーシング１２と共同で格納空間を形成する上ケーシング１１とで構成される。下ケーシング１２には、さらに、外部と電気的に接続するための可撓性回路基板７が設けられている。もちろん、選択可能な別の実施形態では、ケーシング１は、一体化された構造であってもよい。また、下ケーシング１２はパネル状に限定されない。また、ケーシング１は長方体状に限定されない。さらに、可撓性回路基板７の代わりに導線を用いてもよく、電気的接続が可能なものであれば、実施可能である。
【００１４】
磁性振動子３は、振動方向（本実施形態では、ケーシング１の長軸方向）に順に配列した第１の振動子３１及び第２の振動子３２を含む。支持バネ２は、磁性振動子３を片持ちでケーシング１内に支持するための第１のバネ２１と、第１の振動子３１と第２の振動子３２との間に位置してこれら２つの磁性振動子を連結するように働く第２のバネ２２とを含む。第１のバネ２１は、一端が磁性振動子３と連結し、他端がケーシング１に固定される。
【００１５】
第１の振動子３１及び第２の振動子３２の少なくとも一方は、振動方向における駆動力を提供することができる。本実施形態では、第１の振動子３１及び第２の振動子３２の少なくとも一方には永久磁石４が設けられている。ケーシング１における、永久磁石４と対応する箇所には、駆動コイル５が設けられている。駆動コイル５は、ローレンツ力による反動力を利用して第１の振動子３１や第２の振動子３２を振動させるように駆動する。
【００１６】
図１〜図３は、本発明による第１の実施例を示している。本実施例では、第１の振動子３１に永久磁石４が設けられており、ケーシング１における、永久磁石４と対応する箇所に駆動コイル５が設けられている。第２の振動子３２は、永久磁石４が設けられておらず、第１の振動子３１から提供される駆動力により振動する。この場合、第２の振動子３２は被振動子であり、磁性を有してもよく、有さなくてもよい。もちろん、駆動力を提供できるように第２の振動子３２に永久磁石４を設け、永久磁石４が設けられていない第１の振動子３１を被振動子としてもよく、いずれの構成も実施可能である。ここで、磁性振動子３という用語は、保護範囲に対して具体的に限定するものではない。なお、永久磁石４における、駆動コイル５から離れる側に透磁シート６が貼り付けられていてもよい。
【００１７】
図４〜図５は、本発明の第２の実施例を示している。本実施形態では、２つの磁性振動子の両方にも永久磁石が設けられている。また、ケーシング１における永久磁石と対応する箇所のいずれにも駆動コイルが設けられている。具体的には、第１の振動子３１’に第１の永久磁石４１’が設けられ、ケーシング１における、第１の永久磁石４１’と対応する箇所に第１の駆動コイル５１’が設けられている。また、第２の振動子３２’に第２の永久磁石４２’が設けられ、ケーシング１における、第２の永久磁石と対応する箇所に第２の駆動コイル５２’が設けられている。この場合、２つの磁性振動子は両方とも駆動力を提供する。
【００１８】
本発明において、図２に示すように、第１のバネ２１は、磁性振動子３と連結する第１の端２１１と、ケーシング１と連結する第２の端２１２と、第１の端と第２の端とを繋ぐ連結部２１３とを含むＵ字型バネであることが好ましい。第２のバネ２２はスパイラルバネ（圧縮コイルバネ）であることが好ましい。もちろん、上記構成は好ましい実施形態に過ぎず、実際には両方のバネがＵ字型バネまたはスパイラルバネであってもよく、他の形態のバネであってもよく、いずれも実施可能である。
【００１９】
本実施形態において、２つの磁性振動子の固有周波数ωの式は下記の通りである。ただし、ｍ１及びｍ２は、それぞれ第１の振動子及び第２の振動子の質量である。ｋ１及びｋ３は、２つの第１のバネ２１それぞれの弾性率である。ｋ２は、第２のバネ２２の弾性率である。
（式１）
【００２０】
0006017009.tif 000002
【００２１】
上記の式から分かるように、２つの磁性振動子３の振動周波数は、共振システムの固有特性であり、磁性振動子３の質量ｍ及び支持バネの弾性率ｋに関係するが、与えられる外力に関係しない。
【００２２】
本発明において、２つの磁性振動子３の質量が同じであってもよく、異なってもよい。また、２つの第１のバネ２１のバネ定数が同じであってもよく、異なってもよい。具体的には、所望の振動感に応じて支持バネ２の弾性率及び磁性振動子３の質量を合理的に設定し、磁性振動子の共振周波数を調整することにより線形振動モーターの振動感を制御する必要がある。２つの磁性振動子の固有周波数が異なるため、複数の振動感を得ることができる。
【００２３】
本発明は、複数の振動子及び複数の共振周波数を有し、且つ、複数の周波数のいずれにおいても有効な振動感を外部に出力することができ、製品の使用体験を向上させる新規な線形振動モーターを提供することができる。
【００２４】
なお、第１の永久磁石４１’における、第１の駆動コイル５１’から離れる側に透磁シート６が貼り付けられていてもよいし、第２の永久磁石４２’における、第２の駆動コイル５２’から離れる側に透磁シート６が貼り付けられていてもよい。
【００２５】
以上に記述された構成は、本発明の好ましい実施形態にすぎない。本発明の保護範囲は、上述した実施形態に限定されるものではない。当業者が本発明に開示されている構成に基づいて同等に改良または変化することができるが、これらの改良及び変化は全て特許請求の範囲に含まれる。
【符号の説明】
【００２６】
１      ケーシング
２      支持バネ
３      磁性振動子
４      永久磁石
５      駆動コイル
６      透磁シート
７      可撓性回路基板
１１      上ケーシング
１２      下ケーシング
２１      第１のバネ
２２      第２のバネ
３１      第１の振動子
３１'    第１の振動子
３２      第２の振動子
３２'    第２の振動子
４１'    第１の永久磁石
４２'    第２の永久磁石
５１'    第１の駆動コイル
５２'    第２の駆動コイル
２１１      第１の端
２１２      第２の端
２１３      連結部
【要約】
【課題】  複数の振動子及び複数の共振周波数を有し、且つ、複数の周波数のいずれにおいても有効な振動感を外部に出力することができ、製品の使用体験を向上させる新規な線形振動モーターを提供する。
【解決手段】  格納空間を内部に有するケーシング１と、振動方向に順に配列した第１の振動子３１及び第２の振動子３２を含み、格納空間内に収納される磁性振動子３とを設ける。磁性振動子３を、片持ちでケーシング１内に支持するための第１のバネを設け、第１の振動子３１と第２の振動子３２とを第２のバネ２２により連結し、第１の振動子３１及び第２の振動子３２の少なくとも一方に永久磁石を設け、ケーシング１における、永久磁石と対応する箇所に、駆動コイルを設ける。この駆動コイルはローレンツ力による反動力で磁性振動子３を駆動する。
【選択図】図１【図１】
0006017009.tif 000003
【図２】
0006017009.tif 000004
【図３】
0006017009.tif 000005
【図４】
0006017009.tif 000006
【図５】
0006017009.tif 000007